(57)【要約】【課題】従来のプロジェクタは、外部でプレゼンテーションする場合は、パソコンを持ち運びしなければならなかった。また例えばプロジェクタを天井に固定配置して用いる場合に、配線の引き回しが面倒であった。【解決手段】リモコン装置を有効活用し、このリモコン装置によって、プロジェクタに投影画像データの送信を行うことで、上記の問題点を解決するものである。【選択図】    図１
2005130421.tif 000002
【特許請求の範囲】
【請求項１】
画像記憶媒体に記憶された画像データを読み出す画像データ読出し手段と、この読出した画像信号を送信する送信手段を有するリモコン装置と、このリモコン装置から出力された画像信号を受信する受信手段を有するプロジェクタ装置からなるワイヤレスプロジェクタシステム。
【請求項２】
前記プロジェクタ装置は天井に配置する固定手段を有し、前記受信手段以外の画像信号入力インタフェースを有さないことを特徴とする請求項１項記載のワイヤレスプロジェクタシステム。
【請求項３】
前記リモコン装置は、画像データ入力端子を有し、この入力端子により入力された画像データを、送信することを特徴とする請求項１項記載のワイヤレスプロジェクタシステム。
【発明の詳細な説明】
【技術分野】
【０００１】本発明は、投影形の高精細度テレビジョン（ＨＤＴＶ）システムやビデオプロジェクタ等に使用される投影形の画像表示装置に関し、特に、ワイヤレスシステムに関するものである。
【背景技術】
【０００２】従来から家庭において、天井にプロジェクタを配置し、ホームシアターを構築することが知られている。
この天井にプロジェクタを設置する場合、映画などの映像データを入力するための配線の引き回しが面倒であった。
また、外出先でプレゼンテーションするためにプロジェクタを用いる場合、コンピュータとプロジェクタを持ち運びしなければならない。【０００３】
【特許文献１】特開平１０−１４５７９６号
【発明の開示】
【発明が解決しようとする課題】
【０００４】上記特許文献１には、プロジェクタとパーソナルコンピュータを、送信装置を用いて、ワイヤレスで接続する技術が示されている。【０００５】しかしながら、外部に出向いてプレゼンテーションする場合など、プロジェクタとパーソナルコンピュータを持ち運びしなければならず、面倒であった。
また、プロジェクタを天井に固定配置した場合においても、配線が不要になるメリットはあるものの、このプロジェクタを配置固定してある室内にパーソナルコンピュータを持ち運ぶのは面倒であった。
更に、通常プロジェクタには、リモコン装置が附属しており、これとは別に送信装置を付加するシステムは無駄が多い。
【課題を解決するための手段】
【０００６】上記課題を解決するため、本発明は、請求項１に記載するように、画像記憶媒体に記憶された画像データを読み出す画像データ読出し手段と、この読出した画像信号を送信する送信手段を有するリモコン装置と、このリモコン装置から出力された画像信号を受信する受信手段を有するプロジェクタ装置からなるワイヤレスプロジェクタシステムである。
リモコン装置を有効活用し、このリモコン装置によって、プロジェクタに投影画像データの送信を行うことで、上記の問題点を解決するものである。
【発明の効果】
【０００７】本発明では、例えば外出先でプレゼンテーションを行う場合、パソコンを持ち運びしなくても、プレゼンテーションデータが記録された外部記憶メモリとリモコン装置を含んだプロジェクタを持っていくだけでよい。尚、外出先に本発明のプロジェクタシステムが既に存在する場合は、外部記憶媒体を持っていくだけでプレゼンテーションが可能となる。
また、自宅の天井にプロジェクタを固定配置する場合、電源ライン以外の配線の取回しが不要であり、またパソコンやＤＶＤ再生装置なども不要となる。
【発明を実施するための最良の形態】
【０００８】以下、本発明を実施するための最良の形態について、図面を参照して詳細に説明する。
【実施例】
【０００９】図１は本発明の実施形態を示すブロック図であり、プロジェクタ１とリモコン２の構成を示している。
これらの図において、３はリモコン２からの出力信号を受信する受信装置、４はビデオプロセッサであり、このビデオプロセッサ４は、受信信号を記憶するメモリ５、このメモリ５を制御するコントローラ６、入力画像に応じて表示倍率を調節するスケーラー回路７からなる。
８はデジタルマイクロミラーデバイス、９はこのＤＭＤ８を駆動するためのフォーマット回路、１０は光源、１１は投影レンズを含む光学ユニットであり、以上がプロジェクタ１の構成を示している。
リモコン装置２は、プロセッサ１２、入力装置１３、外部記憶媒体の読出し装置１４、及び送信装置１５からなる。
尚、１６は投影画像を記憶保持する外部記憶媒体であり、例えばフラッシュメモリからなる。【００１０】ここで、ＤＭＤ８は、「光学」（ｖｏｌ．２５，Ｎｏ．６，ｐ．３１３〜３１４，１９９６年）に記載されているように、２次元的に配列した各ピクセルが微小なミラーから構成され、各ピクセルごとにその直下に配置されたメモリー素子による静電界作用によって上記微小ミラーの傾きを制御し、反射光の反射角度を変化させることによってオン／オフ状態を作る反射形表示素子である。
そして、ピクセルがオフの状態では、当該ピクセルの微小ミラーによる反射光が投影レンズに入射せず、ピクセルがオンの状態では、当該ピクセルの微小ミラーによる反射光が投影レンズに入射してスクリーンに画像を形成するように光学系部品を配置する必要がある。
なお、各ピクセルの微小ミラーのオン時の傾き角は、ＤＭＤ８の光線の入射面に対して１０から１２度程度と決められている。【００１１】この実施例装置の動作について説明する。
外部記憶媒体１６には、例えばパソコンなどで作成したプレゼンテーション用のデータが記憶される。
この外部記憶媒体１６をリモコン装置の読出し装置１４に挿入し、入力装置１３の図示しない再生ボタンを押すと、プロセッサ１２の指令により、外部記憶媒体読出装置１４は、外部記憶媒体１６に記憶された画像データを読み出す。
この読み出された画像データは、送信装置１４によって、プロジェクタ１の受信装置３に、プロジェクタ１の制御信号（この場合は、再生指令信号）と共に送信される。
先の入力装置１３の再生ボタンを順次押すことで、連続して画像データが読み出され、送信される。
尚、入力装置１３に設けられた、前へ戻るためのボタンを押すと現在表示されている画像データの前のデータが再度、外部記憶媒体１６から読み出され送信される。【００１２】プロジェクタ１の受信装置３にて、リモコン装置２からの再生指令信号と、画像信号が受信されると、再生指令信号はメモリコントローラ５に入力され、このメモリコントローラ６によってメモリ４のアドレスが指定され、このアドレスに受信された画像データが書込まれる。
この書込まれた画像データは、スケーラー回路７によって所定の大きさに返還され、ＤＭＤフォーマット回路９に出力される。
このＤＭＤフォーマット回路９は、入力された画像データによって、赤、青、緑の色の光に対応して時系列にＤＭＤ７を駆動する信号を作成し、ＤＭＤ８を制御する。
光源１０は、白色ランプとこの白色ランプから赤、青、緑の光を時系列に連続して出力するカラーホイール装置からなり、この光源９から出力された光はＤＭＤ８によって、画像を形成するよう変調され、光学ユニット１１を介して、図示しない外部スクリーンに投影される。【００１３】尚、上記の実施例では、静止画を外部記憶媒体１６に記憶し、これを読み出して、投影表示する場合を説明しているが、外部記憶媒体に動画データを記憶し、この動画データを用いることもできる。
この場合は、先の入力装置１３の再生ボタンを押すと、前記読出し装置１４により動画データが読み出され、プロジェクタ１に送信される。
ＣＤ（コンパクトディスク）やＤＶＤ（デジタルビデオディスク）に記録された映画のようなデータの場合は、光学的読出し装置１４をリモコン装置２に内臓し、リモコン装置２が例えばＤＶＤ再生装置として動作するように構成してもよい。【００１４】図２にプロジェクタを天井に固定配置した場合の本実施例のプロジェクタシステムの概念図を示す。
これは、家庭内で映画などを楽しむ場合などに用いられるものであり、このプロジェクタ１は、固定手段２０により天井に固定され、このプロジェクタ１本体には、リモコン装置２からの信号を受信する受信装置３以外の、画像データの入力端子は設けられていない。
このため、プロジェクタ１には電源線以外の配線は一切不要となる。
尚、リモコン装置２は、プロジェクタの電源のオンオフを行うためのメインスイッチ２ａ、画像を投影するための再生ボタン２ｂ、前のページを表示するための戻るボタン２ｃ、その他例えば、投影画像を選択したり、投影レンズのピントを合わせたり、投影画像の歪みの調整を行ったり、更に投影画像の色補正を行うための指示ボタン２ｄを有している。
また、図示しないが外部記憶媒体１６の挿入口を有している。
２１は、リモコン装置２から出力された送信波を模式的に示したものである。【００１５】尚、ＤＶＤなどの外部記憶媒体１６を用いる場合、その再生装置は、リモコン装置２とは別体として構成し、このＤＶＤ再生装置とリモコン装置２を配線で接続し、このＤＶＤ再生装置からの画像データを、リモコン装置２によってプロジェクタ１に送信してもよい。【００１６】また、テレビとリモコン装置２を接続する構成としてもよい。
この場合は、テレビ画像を、リモコン装置２によってプロジェクタ１に送信し、大画面に拡大した画像をスクリーン上に表示することが可能となる。【００１７】以上のように、リモコン装置に外部映像機器からの画像データの入力端子を設けることにより、天井に固定配置したプロジェクタであっても、配線の引き回しを気にすることなく、容易に大画面の画像表示を得ることが可能となる。【００１８】尚、本実施例では、画像形成用のデバイスとしてＤＭＤを用いたプロジェクタを示したが、本発明のプロジェクタは、ＤＭＤプロジェクタに限定されるものではなく、例えば液晶ライトバルブを用いた液晶プロジェクタであってもよい。【００１９】更に、ビデオプロセッサをリモコン装置側に内臓し、プロジェクタは電源や光源、画像投影ユニットのみで構成してもよい。
【産業上の利用可能性】
【００２０】本発明では、遠隔地においてプレゼンテーションをする場合など、外部記憶媒体のみ、又はリモコン装置を含むプロジェクタと外部記憶媒体のみ持って行くだけでプレゼンテーションが可能となるようなプロジェクタシステムを提供できると共に、天井にプロジェクタを配置して映画やテレビ画像を大画面でスクリーンに投影表示するようなホームシアターを構築する際、面倒な配線の引き回しが不要なプロジェクタシステムを提供できる。
【図面の簡単な説明】
【００２１】
【図１】図１は、本発明の実施例の形態に係る主要な構成を示すブロック図である。
【図２】図２は、プロジェクタを天井に配置した場合の実施例の概念図である。
【符号の説明】
１：プロジェクタ
２：リモコン装置
３：受信装置
１４：読出装置
１５：送信装置
１６：外部記憶媒体
【図１】
2005130421.tif 000003
【図２】
2005130421.tif 000004